【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
アルミニウムを含んで構成され、外周面の結晶粒の平均面積が内周面の結晶粒の平均面積よりも小さい筒状部材。
【請求項２】
前記外周面の結晶粒の平均面積が０.２８μｍ２以上１.７４μｍ２以下である請求項１に記載の筒状部材。
【請求項３】
前記内周面の結晶粒の平均面積Ｓ２に対する前記外周面の結晶粒の平均面積Ｓ１の比率（Ｓ１／Ｓ２×１００）が、２０％以上４５％以下である請求項１又は請求項２に記載の筒状部材。
【請求項４】
前記結晶粒の平均面積が、前記内周面から前記外周面に向けて厚さ方向に小さくなっている請求項１〜請求項３のいずれか一項に記載の筒状部材。
【請求項５】
アルミニウム含有率が９９．５％以上である請求項１〜請求項４のいずれか一項に記載の筒状部材。
【請求項６】
厚みが０．３ｍｍ以上０．９ｍｍ以下である請求項１〜請求項５のいずれか一項に記載の筒状部材。
【請求項７】
請求項１〜請求項６のいずれか一項に記載の筒状部材と、
前記筒状部材の外周面に配置された樹脂層、感光層又はゴム層と、を有し、
画像形成装置に用いられる画像形成装置用筒状部材。
【請求項８】
請求項７に記載の画像形成装置用筒状部材で構成された電子写真感光体。
【請求項９】
請求項７に記載の画像形成装置用筒状部材を備えた画像形成装置。
【請求項１０】
請求項８に記載の電子写真感光体と、
前記電子写真感光体の表面を帯電する帯電手段と、
帯電した前記電子写真感光体の表面に静電潜像を形成する静電潜像形成手段と、
前記電子写真感光体の表面に形成された静電潜像をトナーを含む現像剤により現像してトナー像を形成する現像手段と、
前記電子写真感光体の表面に形成されたトナー像を記録媒体に転写する転写手段と、
を備える画像形成装置。
【請求項１１】
請求項７に記載の画像形成装置用筒状部材を備え、
画像形成装置に着脱されるプロセスカートリッジ。
【請求項１２】
請求項８に記載の電子写真感光体を備え、
画像形成装置に着脱されるプロセスカートリッジ。
【手続補正２】
【補正対象書類名】明細書
【補正対象項目名】０００７
【補正方法】変更
【補正の内容】
【０００７】
上記目的を達成するため、以下の発明が提供される。
請求項１に係る発明は、アルミニウムを含んで構成され、外周面の結晶粒の平均面積が内周面の結晶粒の平均面積よりも小さい筒状部材である。
請求項２に係る発明は、前記外周面の結晶粒の平均面積が０.２８μｍ２以上１.７４μｍ２以下である請求項１に記載の筒状部材である。
請求項３に係る発明は、前記内周面の結晶粒の平均面積Ｓ２に対する前記外周面の結晶粒の平均面積Ｓ１の比率（Ｓ１／Ｓ２×１００）が、２０％以上４５％以下である請求項１又は請求項２に記載の筒状部材である。
請求項４に係る発明は、前記結晶粒の平均面積が、前記内周面から前記外周面に向けて厚さ方向に小さくなっている請求項１〜請求項３のいずれか一項に記載の筒状部材である。
請求項５に係る発明は、アルミニウム含有率が９９．５％以上である請求項１〜請求項４のいずれか一項に記載の筒状部材である。
請求項６に係る発明は、厚みが０．３ｍｍ以上０．９ｍｍ以下である請求項１〜請求項５のいずれか一項に記載の筒状部材。
請求項７に係る発明は、請求項１〜請求項６のいずれか一項に記載の筒状部材と、
前記筒状部材の外周面に配置された樹脂層、感光層又はゴム層と、を有し、
画像形成装置に用いられる画像形成装置用筒状部材である。
請求項８に係る発明は、請求項７に記載の画像形成装置用筒状部材で構成された電子写真感光体である。
請求項９に係る発明は、請求項７に記載の画像形成装置用筒状部材を備えた画像形成装置である。
請求項１０に係る発明は、請求項８に記載の電子写真感光体と、
前記電子写真感光体の表面を帯電する帯電手段と、
帯電した前記電子写真感光体の表面に静電潜像を形成する静電潜像形成手段と、
前記電子写真感光体の表面に形成された静電潜像をトナーを含む現像剤により現像してトナー像を形成する現像手段と、
前記電子写真感光体の表面に形成されたトナー像を記録媒体に転写する転写手段と、
を備える画像形成装置である。
請求項１１に係る発明は、請求項７に記載の画像形成装置用筒状部材を備え、
画像形成装置に着脱されるプロセスカートリッジである。
請求項１２に係る発明は、請求項８に記載の電子写真感光体を備え、画像形成装置に着脱されるプロセスカートリッジである。 
【手続補正３】
【補正対象書類名】明細書
【補正対象項目名】０００８
【補正方法】変更
【補正の内容】
【０００８】
請求項１に係る発明によれば、アルミニウムを含んで構成され、外周面の結晶粒の平均面積が内周面の結晶粒の平均面積よりも小さくない場合に比べ、外部衝撃による永久変形が抑制される筒状部材が提供される。
請求項３に係る発明によれば、前記内周面の結晶粒の平均面積Ｓ２に対する前記外周面の結晶粒の平均面積Ｓ１の比率（Ｓ１／Ｓ２×１００）が、２０％以上４５％以下の範囲外である場合に比べ、外部衝撃による永久変形が抑制される筒状部材が提供される。
請求項４に係る発明は、前記結晶粒の平均面積が、前記内周面から前記外周面に向けて厚さ方向に小さくなっていない場合に比べ、外部衝撃による永久変形が抑制される筒状部材が提供される。
請求項５に係る発明によれば、アルミニウム含有率が９９．５％未満である場合に比べ、外部衝撃による永久変形が抑制される筒状部材が提供される。
請求項６に係る発明によれば、厚みが０．３ｍｍ以上０．９ｍｍ以下の薄さでも、外部衝撃による永久変形が抑制される筒状部材が提供される。
請求項７、８に係る発明によれば、アルミニウムを含んで構成され、外周面の結晶粒の平均面積が内周面の結晶粒の平均面積よりも小さくない筒状部材と、前記筒状部材の外周面に配置された樹脂層、感光層又はゴム層と、を有する場合に比べ、外部衝撃による樹脂層、感光層又はゴム層の剥離が抑制される画像形成装置用筒状部材、電子写真感光体が提供される。
請求項９、１０、１１、１２に係る発明によれば、アルミニウムを含んで構成され、外周面の結晶粒の平均面積が内周面の結晶粒の平均面積よりも小さくない筒状部材と、前記筒状部材の外周面に配置された樹脂層又はゴム層と、を有する画像形成装置用筒状部材を備える場合に比べ、外部衝撃による樹脂層又はゴム層の剥離に起因する画像欠陥の発生が抑制される画像形成カートリッジが提供される。
【手続補正４】
【補正対象書類名】明細書
【補正対象項目名】００６７
【補正方法】変更
【補正の内容】
【００６７】
電荷輸送層３は、上記構成材料を含有する電荷輸送層形成用塗布液を用いて構成される。電荷輸送層形成用塗布液に用いる溶剤としては、ベンゼン、トルエン、キシレン、クロルベンゼン等の芳香族炭化水素類、アセトン、２−ブタノン等のケトン類、塩化メチレン、クロロホルム、塩化エチレン等のハロゲン化脂肪族炭化水素類、テトラヒドロフラン、エチルエーテル等の環状若しくは直鎖状のエーテル類等の通常の有機溶剤が挙げられる。これらは、１種を単独で又は２種以上を混合して用いられる。また、上記各構成材料の分散方法としては、公知の方法が使用される。
【手続補正５】
【補正対象書類名】明細書
【補正対象項目名】００９８
【補正方法】変更
【補正の内容】
【００９８】
また、上記無機粒子を、テトラブチルチタネート、テトラオクチルチタネート、イソプロピルトリイソステアロイルチタネート、イソプロピルトリデシルベンゼンスルフォニルチタネート、ビス（ジオクチルパイロフォスフェート）オキシアセテートチタネート等のチタンカップリング剤、３−（２−アミノエチル）アミノプロピルトリメトキシシラン、３−（２−アミノエチル）アミノプロピルメチルジメトキシシラン、３−メタクリロキシプロピルトリメトキシシラン、Ｎ−２−（Ｎ−ビニルベンジルアミノエチル）３−アミノプロピルトリメトキシシラン塩酸塩、ヘキサメチルジシラザン、メチルトリメトキシシラン、ブチルトリメトキシシラン、イソブチルトリメトキシシラン、ヘキシルトリメトキシシラン、オクチルトリメトキシシラン、デシルトリメトキシシラン、ドデシルトリメトキシシラン、フェニルトリメトキシシラン、ｏ−メチルフェニルトリメトキシシラン、ｐ−メチルフェニルトリメトキシシラン等のシランカップリング剤等で処理を行ってもよい。また、シリコーンオイル、ステアリン酸アルミニウム、ステアリン酸亜鉛、ステアリン酸カルシウム等の高級脂肪酸金属塩によって疎水化処理したものも望ましく使用される。
【手続補正６】
【補正対象書類名】明細書
【補正対象項目名】０１２７
【補正方法】変更
【補正の内容】
【０１２７】
【表１】
2014038135.tif 000001